(57)【要約】【課題】  「門形ブロック」は天板が強度保持に大きく貢献するものであるため、開口部を大きく取るということはできず、天面全てをグレーチングで覆って排水を図るといった手法は採用し難い。そこで、この天板部分にスリット孔を多数設ける、排水溝を設ける、等々で天板部分の水はけ向上を図るという提案がなされているが現実には極めて不充分であった。【解決手段】  対向する一対の側壁板部分と、天板部と大開口とにより成る天面部分とにより構成される門形一体成形ブロックであって、該天板部の上面には有底排水溝が１又は複数条、且つその中の少なくとも１条は本体長手方向に沿う形で設けられており、この溝の複数箇所にはブロック内部空間と連通する透水孔が刻設されており、また該有底排水溝の底面には、該透水孔箇所又は端部に向かって下ってゆく勾配が付けられている。【選択図】  図１
2010048028.tif 000002
【特許請求の範囲】
【請求項１】
対向する一対の側壁板部分と、天板部と大開口とにより成る天面部分とにより構成される門形一体成形ブロックであって、該天板部の上面には有底排水溝が１又は複数条、且つその中の少なくとも１条は本体長手方向に沿う形で設けられており、この溝の複数箇所にはブロック内部空間と連通する透水孔が刻設されており、また該有底排水溝の底面には、該透水孔箇所又は端部に向かって下ってゆく勾配が付けられているものであることを特徴とする側溝用ブロック。
【発明の詳細な説明】
【技術分野】
【０００１】
本発明は、側溝用ブロックの構造に関するものである。
【背景技術】
【０００２】
そもそも「側溝（或いは排水側溝）」とは、道路等に沿って敷設し雨水等を排水するための設備である。側溝の構築は、設置状況が特殊な場合には完全現場施工ということもあり得るが、一般的な現場ではプレキャストコンクリートブロックを連設して側溝を構築するという方法が、従来より広く採られている。
【０００３】
側溝用ブロックは大きく４種類あり、「Ｌ形」「Ｕ字形」「門形」「暗渠形」に分類される。それぞれ長所短所があり、状況に応じて適宜採用されることになる。例えば「Ｌ形ブロック」の場合には、側溝の幅・勾配が自由にできるという利点がある反面、底面はコンクリートを現場打ちしなければならない、一定幅を維持するための作業が必要である、といった欠点がある。また「暗渠形ブロック」の場合には、強度や耐久性に優れた側溝が簡単にできるという利点がある反面、自由度が小さいので多種タイプが必要となる、勾配や起伏に対応しづらい、といった欠点がある。
【０００４】
本発明ブロックは、「門形ブロック」（逆Ｕ字形ブロックとも呼ばれる）に分類されるブロックであり、天板は一体成形されており、底面は現場施工によって構築される。道路勾配と水路勾配が異なる場合に好適であり、自由勾配側溝とも呼ばれる。なお、一体成形されている天板部分は、断続的に開口しており、清掃などのメンテナンスを容易にすると共に、雨水等を導入する構造となっている。そしてこの開口部は、側溝蓋ブロックやグレーチングによって開口自在に閉じられている。
【特許文献１】特開平１０−１３１２６９号
【発明の開示】
【発明が解決しようとする課題】
【０００５】
ところがこのような基本構造の「門形ブロック」は、「Ｌ形」「Ｕ字形」のブロックと異なり天板が強度保持に大きく貢献するものであるため、開口部を大きく取るということはできない。これは、「Ｌ形」や「Ｕ字形」のブロックにしばしば見られるように、天面全てをグレーチングで覆うことで万全なる排水を図るという手法が採用し難いことを意味する。そこで、この天板部分にスリット孔を多数設ける、排水溝を設ける、等々で天板部分の水はけ向上を図るという提案がなされているが現実には極めて不充分であった。
【課題を解決するための手段】
【０００６】
そこで本発明者は上記点に鑑み鋭意研究の結果遂に本発明をなしたものでありその特徴とするところは、対向する一対の側壁板部分と、天板部と大開口とにより成る天面部分とにより構成される門形一体成形ブロックであって、該天板部の上面には有底排水溝が１又は複数条、且つその中の少なくとも１条は本体長手方向に沿う形で設けられており、この溝の複数箇所にはブロック内部空間と連通する透水孔が刻設されており、また該有底排水溝の底面には、該透水孔箇所又は端部に向かって下ってゆく勾配が付けられている点にある。
【０００７】
即ち本発明に係る側溝用ブロックは、いわゆる門形（逆Ｕ字形）のブロックであり、対向する側壁板部分一対を天面部分で連結した形のものである。この天面部分は、開口が設けられておりここには基本的にグレーチングや蓋ブロックが嵌め込まれる。本明細書中においてはこの開口を特に「大開口」と呼ぶ。天面部分は、この大開口と天板部とにより構成されるものである。なお本発明においては、大開口にグレーチング或いは蓋ブロックが嵌め込まれていることは必須要件ではなく、どのような部材を嵌め込んでも、又は何ら嵌め込まなくても良いものとする。但し、コンクリート製の蓋ブロックを嵌め込む場合に、その上面構造を、本発明ブロックの天板部と連続性のある同様の構造とすると、排水効果を確保した上で、統一性のあるデザインの側溝が得られることとなり好適である。
【０００８】
「天板部」の上面構造が本発明最大の特徴であり、有底排水溝が１又は複数条、且つその中の少なくとも１条は本体長手方向に沿う形で設けられており、この溝の複数箇所にはブロック内部空間と連通する透水孔が刻設されており、また有底排水溝の底面には、該透水孔箇所又は溝端部に向かって下ってゆく勾配が付けられている、というものである。これによって水は溝に停滞することなく透水孔或いは端部から排出されやすくなる。
【０００９】
「有底排水溝」は、文字通り底のある溝である。排水が目的であるので、この溝は平面視直線状であることが望ましいが特に限定はしない。また溝の方向は、少なくとも１本は側溝の長さ方向に存在するものであるが、これ以外の方向、例えば直交方向にも設けるようにしても良い。長さ方向に沿う溝についても１本に限らず、２本以上として良い。
【００１０】
有底排水溝の底面のところどころには、ブロック内部空間に連通する透水孔が刻設されている。刻設位置については特に限定するものではないが、有底排水溝が交差するように設けられている場合には、その交差部分に設けると排水効果が高くなるので好適である。また透水孔自体の形状を、円錐台状（上側開口が小さく下側開口が大きくなる形状）にすると、透水孔内部で砂利等が詰まることがなく好適である。
【００１１】
溝を流路として流れる雨水等は、ブロック同士の連結部分或いは大開口（即ち溝端部）以外に、この透水孔からもブロック内部空間に流入してゆくことになる。そこで本発明においては、有底排水溝の底面に、透水孔部分又は該溝の端部が低くなる勾配が付けられている。これにより、透水孔部分への集水能力が高まり排水機能が向上することとなる。
【発明の効果】
【００１２】
本発明に係る側溝用ブロックは、以下述べるような効果を有する極めて高度な発明である。
【００１３】
（１）  従来排水性が悪く水たまりができやすかった門型側溝ブロックの天板部分に有底排水溝が設けられているので、ここを流路として排水が促進される。
（２）  この有底排水溝には内部空間と連通する透水孔が設けられているので、流れ込んだ雨水等は、透水孔からも排水される。
（３）  更にこの有底排水溝の底面には、透水孔部分又は溝端部へ下る勾配が設けられているので、集水されやすくなる。
【発明を実施するための最良の形態】
【００１４】
以下図面に基づいて本発明を更に詳細に説明する。
【実施例】
【００１５】
図１（ａ）（ｂ）は、本発明に係る側溝用ブロック１（以下本発明ブロック１という）の一例を示すものであり、図より明らかなように本発明ブロックは、いわゆる門型ブロック（逆Ｕ字形ブロックとも呼ばれる）であって、対向する一対の側壁板２、２の上端同士が天面部分３で連結された形状の一体成形コンクリートブロックである。天面部分３は、大開口３１と天板部３２で構成されている。図ではこの大開口３１には、何も嵌められていないが、実際には蓋ブロックやグレーチングが嵌められて開閉自在な開口となる。
【００１６】
天板部３２上には、複数の溝（横溝４１と縦溝４２）が刻設されている。これらはいずれも有底であるが、溝交差箇所（四箇所）には鉛直方向に透水孔５が設けられている。なお図示は省略するが、本発明において縦溝４２は必須のものではないので、横溝４１を一本或いは複数本設けるようにしても良い。その場合、当然溝の交差箇所というものは存在しないので適当な位置に設けられることになる。
【００１７】
図２は天板部３２の概略部分断面図である。図より、横溝４１の底面は溝中央付近が最も浅く端部が最も深い勾配が付けられていること、この勾配途中に透水孔５が設けられていること、透水孔５は下にゆくに従って広がってゆく孔であること、が明らかである。
【００１８】
次に図３は、大開口３１に嵌め込まれる蓋ブロックＡの一例を示すものである。本例の蓋ブロックＡの場合には、二個を並べて１つの大開口３１を覆うよう設計されている。そして、設置した時には本発明ブロック１の横溝４１と連続する位置に横溝４３が刻設されており、且つ又この横溝４３の構造は、本発明ブロック１の横溝４１と同様勾配が付けられており、透水孔５が一個設けられている。なお現場状況その他に応じてこの透水孔５の設置個数を、二個或いはそれ以上としても良い（図示せず）。
【図面の簡単な説明】
【００１９】
【図１】本発明に係る側溝用ブロックの一例を示すものであり、（ａ）は平面図、（ｂ）は正面図である。
【図２】本発明に係る側溝用ブロックの一例の、天板部近傍を示す概略部分断面図である。
【図３】本発明に係る側溝用ブロックに嵌め込む蓋ブロックの一例を示す平面図である。
【符号の説明】
【００２０】
１    本発明に係る側溝用ブロック
２    側壁板
３    天面部分
３１  大開口
３２  天板部
４１  横溝
４２  縦溝
４３  横溝（蓋ブロック）
５    透水孔
Ａ    蓋ブロック
【図１】
2010048028.tif 000003
【図２】
2010048028.tif 000004
【図３】
2010048028.tif 000005